(57)【要約】【課題】上り方向の伝送路帯域を有効利用することが可能な伝送路効率に優れた光通信ネットワークシステム、加入者側装置および局側装置を得ること。【解決手段】加入者側装置が、自装置に接続されるユーザ装置から送信された上り方向に送信するデータを蓄積するバッファ部と、前記バッファ部内のデータの蓄積状態を監視してデータ量情報を生成するバッファ状態監視部と、前記バッファ状態情報に基づいて、前記データ量情報を前記局側装置に通知するための専用フレームの送信用の上り送信帯域を前記局側装置に要求するか否かを判定し、この判定結果に基づいて前記専用フレーム用の上り送信帯域を要求する専用フレーム用帯域要求情報または前記専用フレーム用の上り送信帯域を要求しない専用フレーム用帯域不要情報を前記専用フレームまたはデータフレームのいずれかを用いてデータ量情報とともに前記局側装置に通知する加入者側制御部と、を備える。【選択図】        図１
2009141889.tif 000002
【特許請求の範囲】
【請求項１】
局側装置と複数の加入者側装置が光伝送路を介して接続され、前記局側装置と前記複数の加入者側装置間で双方向通信を行う光通信ネットワークシステムであって、
自装置に接続されるユーザ装置から送信された上り方向に送信するデータを蓄積するバッファ部と、
前記バッファ部内のデータの蓄積状態を監視してデータ量情報を生成するバッファ状態監視部と、
前記バッファ状態情報に基づいて、前記データ量情報を前記局側装置に通知するための専用フレームの送信用の上り送信帯域を前記局側装置に要求するか否かを判定し、この判定結果に基づいて前記専用フレーム用の上り送信帯域を要求する専用フレーム用帯域要求情報または前記専用フレーム用の上り送信帯域を要求しない専用フレーム用帯域不要情報を前記専用フレームまたはデータフレームのいずれかを用いてデータ量情報とともに前記局側装置に通知する加入者側制御部と、
を備え、
前記局側装置は、
前記加入者側装置から受信した専用フレームまたはデータフレームから、前記データ量情報を抽出するデータ量情報抽出部と、
前記加入者側装置から受信した専用フレームまたはデータフレームから、前記加入者側装置が前記専用フレーム用の上り送信帯域の割り当てを要求しているか否かの専用フレーム用帯域要求または専用フレーム用帯域不要情報を抽出する要求情報抽出部と、
前記抽出したデータ量情報に基づいて、前記加入者側装置に割り当てるデータフレーム用の上り送信帯域を決定してこの決定結果を前記加入者側装置に通知し、また、前記抽出した要求情報に基づいて専用フレーム用の上り送信帯域を割り当てるか否かを判定して、前記専用フレーム用の上り送信帯域を割り当てると判定した場合には割り当てる上り送信帯域を前記加入者側装置に通知する局側制御部と、
を備えること、
を特徴とする光通信ネットワークシステム。
【請求項２】
前記加入者側制御部は、局側装置に送信すべきデータが前記バッファ部に蓄積されており、且つ前記データフレーム用の上り送信帯域の割り当てを受けている場合には、前記データフレームを用いて前記専用フレーム用帯域要求情報または前記専用フレーム用帯域不要情報を前記局側装置に通知すること、
を特徴とする請求項１に記載の光通信ネットワークシステム。
【請求項３】
局側装置と複数の加入者側装置が光伝送路を介して接続され、前記局側装置と前記複数の加入者側装置間で双方向通信を行う光通信ネットワークシステムに用いられる加入者側装置であって、
自装置に接続されるユーザ装置から送信された上り方向に送信するデータを蓄積するバッファ部と、
前記バッファ部内のデータの蓄積状態を監視してデータ量情報を生成するバッファ状態監視部と、
前記バッファ状態情報に基づいて、前記データ量情報を前記局側装置に通知するための専用フレームの送信用の上り送信帯域を前記局側装置に要求するか否かを判定し、この判定結果に基づいて前記専用フレーム用の上り送信帯域を要求する専用フレーム用帯域要求情報または前記専用フレーム用の上り送信帯域を要求しない専用フレーム用帯域不要情報を前記専用フレームまたはデータフレームのいずれかを用いてデータ量情報とともに前記局側装置に通知する加入者側制御部と、
を備えることを特徴とする加入者側装置。
【請求項４】
前記加入者側制御部は、局側装置に送信すべきデータが前記バッファ部に蓄積されており、且つ前記データフレーム用の上り送信帯域の割り当てを受けている場合には、前記データフレームを用いて前記専用フレーム用帯域要求情報または前記専用フレーム用帯域不要情報を前記局側装置に通知すること、
を特徴とする請求項３に記載の加入者側装置。
【請求項５】
局側装置と複数の加入者側装置が光伝送路を介して接続され、前記局側装置と前記複数の加入者側装置間で双方向通信を行う光通信ネットワークシステムに用いられる局側装置であって、
前記加入者側装置から受信したフレームから、前記加入者側装置内に蓄積されているデータ量の情報を抽出するデータ量情報抽出部と、
前記加入者側装置から受信したフレームから、前記加入者側装置が次回の前記データ量の情報の通知用の専用フレーム用帯域の割り当てを要求しているか否かの要求情報を抽出する要求情報抽出部と、
前記抽出したデータ量情報に基づいて、前記加入者側装置に割り当てるデータフレーム用の上り送信帯域を決定してこの決定結果を前記加入者側装置に通知し、また、前記抽出した要求情報に基づいて次回の専用フレーム用の上り送信帯域を割り当てるか否かを判定して、前記専用フレーム用の上り送信帯域を割り当てると判定した場合には割り当てる上り送信帯域を前記加入者側装置に通知する局側制御部と、
を備えることを特徴とする局側装置。
【発明の詳細な説明】
【技術分野】
【０００１】
本発明は、光通信ネットワークシステム、加入者装置および局側装置に関するものであり、特に加入者側装置と局側装置間でやり取りされるＧＡＴＥフレームおよびＲＥＰＯＲＴフレームといった制御フレームのうち、加入者側装置から局側装置に対して送信されるＲＥＰＯＲＴフレームの送信回数を減らすことで、上りの伝送帯域を有効に利用できる光通信ネットワークシステム、加入者側装置および局側装置に関する。
【背景技術】
【０００２】
従来、マルチメディアサービス等を各家庭まで伝送するアクセス系ネットワークでは、一般にＰＯＮ(Passive  Optical  Network)システムと呼ばれるポイント・マルチポイント光伝送システム（光バースト送受信網）が用いられている。ＰＯＮシステムでは、局側装置（OLT：Optical Line Terminal）が各加入者側装置（ONU：Optical Network Unit）に対してＧＡＴＥフレームを用いて各加入者装置の送信開始時刻および送信量を通知し、各加入者側装置は局側装置に対してＲＥＰＯＲＴフレームを用いて自身のバッファに蓄積されている送信待ちデータ量を通知することで、それぞれの加入者側装置が時間的に衝突することなくデータ送信できるように上り方向（加入者側装置から局側装置への方向）の送信制御を行っている（たとえば、非特許文献１参照）。
【０００３】
【非特許文献１】IEEE Std 802.3-2005 64節
【発明の開示】
【発明が解決しようとする課題】
【０００４】
しかしながら、上記従来の技術によれば、局側装置は各加入者側装置に対して個別にＧＡＴＥフレームとＲＥＰＯＲＴフレームとのやり取りを行うことで上り方向の送信制御を行っているため、接続される加入者側装置の台数が増えるにつれてＧＡＴＥフレームおよびＲＥＰＯＲＴフレームの量が増えてしまい、伝送路の帯域を有効に利用できないという問題があった。特に上り方向のデータ送信については、「Laser ON」、「syncTime」、「Laser OFF」といったバースト制御のためのオーバヘッドが付加されるため（IEEE802.3-2005 64節 図64-32）、伝送路効率の低下が顕著に現れるという問題があった。
【０００５】
本発明は、上記に鑑みてなされたものであって、上り方向（加入者側装置から局側装置へ）の伝送路帯域を有効利用することが可能な伝送路効率に優れた光通信ネットワークシステム、加入者装置および局側装置を得ることを目的とする。
【課題を解決するための手段】
【０００６】
上述した課題を解決し、目的を達成するために、本発明にかかる光通信ネットワークシステムは、局側装置と複数の加入者側装置が光伝送路を介して接続され、前記局側装置と前記複数の加入者側装置間で双方向通信を行う光通信ネットワークシステムであって、自装置に接続されるユーザ装置から送信された上り方向に送信するデータを蓄積するバッファ部と、前記バッファ部内のデータの蓄積状態を監視してデータ量情報を生成するバッファ状態監視部と、前記バッファ状態情報に基づいて、前記データ量情報を前記局側装置に通知するための専用フレームの送信用の上り送信帯域を前記局側装置に要求するか否かを判定し、この判定結果に基づいて前記専用フレーム用の上り送信帯域を要求する専用フレーム用帯域要求情報または前記専用フレーム用の上り送信帯域を要求しない専用フレーム用帯域不要情報を前記専用フレームまたはデータフレームのいずれかを用いてデータ量情報とともに前記局側装置に通知する加入者側制御部と、を備え、前記局側装置は、前記加入者側装置から受信した専用フレームまたはデータフレームから、前記データ量情報を抽出するデータ量情報抽出部と、前記加入者側装置から受信した専用フレームまたはデータフレームから、前記加入者側装置が前記専用フレーム用の上り送信帯域の割り当てを要求しているか否かの専用フレーム用帯域要求または専用フレーム用帯域不要情報を抽出する要求情報抽出部と、前記抽出したデータ量情報に基づいて、前記加入者側装置に割り当てるデータフレーム用の上り送信帯域を決定してこの決定結果を前記加入者側装置に通知し、また、前記抽出した要求情報に基づいて専用フレーム用の上り送信帯域を割り当てるか否かを判定して、前記専用フレーム用の上り送信帯域を割り当てると判定した場合には割り当てる上り送信帯域を前記加入者側装置に通知する局側制御部と、を備えること、を特徴とする。
【発明の効果】
【０００７】
この発明によれば、バッファに蓄積されているデータ量の情報用の専用フレームの送信回数を減らすことができ、専用フレーム送信による上り方向（加入者側装置から局側装置へ）の伝送効率低下を最小限に抑えることが可能となるため、上り方向の伝送路帯域を有効利用することが可能な伝送路効率に優れたＰＯＮ光通信ネットワークシステムを得ることができる、という効果を奏する。
【発明を実施するための最良の形態】
【０００８】
以下に、本発明にかかる光通信ネットワークシステム、加入者装置および局側装置の実施の形態を図面に基づいて詳細に説明する。なお、本発明は以下の記述に限定されるものではなく、本発明の要旨を逸脱しない範囲において適宜変更可能である。
【０００９】
実施の形態
図１は、本発明の実施の形態にかかる光通信ネットワークシステムであるＰＯＮシステムの概略構成を示す図である。図１において、局側装置１００が光ファイバ１により光カプラ２と接続され、またｎ台の加入者側装置２００がそれぞれ光ファイバ３により光カプラ２と接続されてＰＯＮシステムを構成している。
【００１０】
加入者側装置２００は、光送受信部２０１と、ＰＯＮ制御部２０２と、バッファ部２０３と、ネットワークインタフェース部２０４と、バッファ部２０５と、バッファ状態監視部２０６と、から構成される。ネットワークインタフェース部２０４は、ユーザ宅装置とインタフェースする。バッファ部２０３は、ユーザ宅装置からのデータを蓄積する。バッファ部２０５は、ＰＯＮ制御部２０２からのデータを蓄積する。バッファ状態監視部２０６は、バッファ部２０３の状態を監視する。
【００１１】
ＰＯＮ制御部２０２は、バッファ部２０３に蓄積されたデータを局側装置１００からの指示により光送受信部２０１に出力する機能とバッファ状態監視部２０６の情報を元にバッファ部２０３に蓄積されているデータ量を通知する機能（ＲＥＰＯＲＴ情報通知機能）、および光送受信部２０１からのデータをバッファ部２０５に出力する機能を具備する。
光送受信部２０１は、電気信号と光信号を変換する。
【００１２】
一方、局側装置１００は、光送受信部１０１と、ＰＯＮ制御部１０２と、バッファ部１０３と、ネットワークインタフェース部１０４と、バッファ部１０５と、ＲＥＰＯＲＴ情報抽出部１０６と、から構成される。光送受信部１０１は、光信号と電気信号を変換する。ＲＥＰＯＲＴ情報抽出部１０６は、光送受信部１０１から出力されたデータからＲＥＰＯＲＴ情報を抽出する。ＰＯＮ制御部１０２は、ＲＥＰＯＲＴ情報抽出部１０６からのデータをバッファ部１０３に出力する機能と、ＲＥＰＯＲＴ情報抽出部１０６からの指示により加入者側装置２００に対してＲＥＰＯＲＴフレーム用帯域を割り当てるかを判定する機能、加入者側装置２００に対して加入者側装置２００が時間的に衝突することなく送信できるように上り割り当て帯域（具体的には上り送信開始時刻と送信量）を指示するＧＡＴＥフレームを生成する機能、およびバッファ部１０５からの出力データを光送受信部１０１に出力する機能を具備する。
【００１３】
バッファ部１０３は、ＰＯＮ制御部からの出力データを蓄積する。バッファ部１０５は、ネットワークインタフェース部１０４からのデータを蓄積する。ネットワークインタフェース部１０４は、上位ネットワーク装置とインタフェースする。ここで、ＲＥＰＯＲＴ情報とは、加入者側装置が通知したバッファ部２０３に蓄積されているデータ量を指している。
【００１４】
図２は、本実施の形態におけるＰＯＮ制御部２０２のＲＥＰＯＲＴ情報通知機能の処理フローを示したフローチャートであり、加入者側装置２００のバッファ２０３内に蓄積されているデータ量を局側装置１００に通知する手段として、通常のＲＥＰＯＲＴフレームを用いて通知するか、またはユーザ宅装置が送信したデータに埋め込んで通知するかを判定する処理フローを示している。
【００１５】
図３（ａ）は、加入者側装置２００のバッファ２０３内のデータ蓄積量を、ユーザ宅装置が送信したデータに埋め込んで局側装置１００に通知する場合のフレームフォーマットの例を示した図である。ここでは、イーサーネット（登録商標）フレームのプリアンブル領域にバッファ２０３内のキューのデータ蓄積量を埋め込む例を示しているが、プリアンブル部分以外、例えば主信号データ部分を拡張して埋め込んでも良い。
【００１６】
また、図３（ｂ）は、通常のＲＥＰＯＲＴフレームのフレームフォーマットの例を示した図である。ＰＯＮ制御部２０２は、この２つのフレームフォーマットのいずれかを用いて、加入者側装置２００のバッファ２０３内に蓄積されているデータ量を局側装置１００に通知することができる。
【００１７】
図３（ａ）、（ｂ）に示すフレームフォーマは共に、次回ＲＥＰＯＲＴフレーム用帯域を要求するかしないかを識別する「Ｒｅｐｏｒｔ用帯域要求ｂｉｔ」を具備し、本ｂｉｔが「ＯＮ」の場合は次回ＲＥＰＯＲＴフレーム用帯域を要求することを、「ＯＦＦ」の場合は次回ＲＥＰＯＲＴフレーム用帯域を要求しないことを示すために使用する。
【００１８】
次に、このような本実施の形態にかかるＰＯＮシステムの動作について説明する。図４は本実施の形態にかかるＰＯＮシステムにおける上り方向（加入者側装置２００から局側装置１００への方向）の送信制御方法を示した動作説明図である。なお、ここでは理解の容易のため、バッファ部２０３内のキューは、キュー＃１とキュー＃２の２つのみであるとして説明する。
【００１９】
まず、局側装置１００は、ＧＡＴＥフレームを用いて各加入者装置の送信開始時刻および送信量を通知する。図４（ａ）では、加入者側装置２００のバッファ部２０３に蓄積データが無い場合、すなわちキュー＃１およびキュー＃２ともに蓄積データが無い場合を示している（図２の処理フローにおけるステップＳ１１の分岐「ＹＥＳ」のフローに対応）。
【００２０】
この場合、加入者側装置２００から上り方向（加入者側装置２００から局側装置１００への方向）に送信すべきデータが無いので、ＰＯＮ制御部２０２はＲＥＰＯＲＴ用帯域要求ビットを「ＯＮ」に設定した通常ＲＥＰＯＲＴフレーム（ＲＥＰＯＲＴ用帯域要求通知）を、光送受信部２０１を介して局側装置に対して送信する（図２のステップＳ２３に対応）。
【００２１】
局側装置１００では、加入者側装置２００から送信された通常ＲＥＰＯＲＴフレームを光送受信部１０１が受信し、光信号から電気信号に変換してＲＥＰＯＲＴ情報抽出部１０６に出力する。局側装置１００のＲＥＰＯＲＴ情報抽出部１０６は、この通常ＲＥＰＯＲＴフレームを受信すると、ＲＥＰＯＲＴ用帯域要求ビットが「ＯＮ」であることを検出し、ＲＥＰＯＲＴ情報およびＲＥＰＯＲＴ用帯域要求ビットが「ＯＮ」であることをＰＯＮ制御部１０２に通知する。ＰＯＮ制御部１０２は、この通知を受けて、ＲＥＰＯＲＴフレーム用の帯域のみ割り当てるＧＡＴＥフレームを、光送受信部１０１を介して加入者側装置２００に対して送信する。
【００２２】
図４（ｂ）では、図４（ａ）の状態から加入者側装置２００のバッファ部２０３内のキュー＃１にデータが蓄積された状態に遷移した場合を示している（図２のステップＳ１１の分岐「Ｎｏ」、且つステップＳ１２の分岐「ＹＥＳ」のフローに対応）。この場合は、加入者側装置２００から上り方向に送信すべきデータがバッファ部２０３に蓄積されたので、ＰＯＮ制御部２０２はＲＥＰＯＲＴ用帯域要求ビットを「ＯＦＦ」に設定した通常ＲＥＰＯＲＴフレーム（ＲＥＰＯＲＴ用帯域不要通知）を、光送受信部２０１を介して局側装置２００に対して送信する（図２のステップＳ２２に対応）。
【００２３】
局側装置１００では、加入者側装置２００から送信された通常ＲＥＰＯＲＴフレームを光送受信部１０１が受信し、光信号から電気信号に変換してＲＥＰＯＲＴ情報抽出部１０６に出力する。局側装置１００のＲＥＰＯＲＴ情報抽出部１０６は、この通常ＲＥＰＯＲＴフレームを受信すると、ＲＥＰＯＲＴ用帯域要求ビットが「ＯＦＦ」であることを検出し、ＲＥＰＯＲＴ情報およびＲＥＰＯＲＴ用帯域要求ビットが「ＯＦＦ」であることをＰＯＮ制御部１０２に通知する。ＰＯＮ制御部１０２は、この通知を受けて、バッファ部２０３内のキュー＃１に蓄積されているデータ用帯域のみを割り当てるＧＡＴＥフレームを、光送受信部１０１を介して加入者側装置２００に対して送信する。
【００２４】
図４（ｃ）では、図４（ｂ）の状態から加入者側装置２００のバッファ部２０３内のキュー＃１に更にデータが蓄積された場合を示している（図２のステップＳ１１の分岐「Ｎｏ」、且つステップＳ１２の分岐「ＮＯ」、且つステップＳ１３の分岐「ＹＥＳ」のフローに対応）。この場合は、加入者側装置２００から上り方向に送信すべきデータがバッファ部２０３に蓄積されているので、ＰＯＮ制御部２０２はＲＥＰＯＲＴ用帯域要求ビットを「ＯＦＦ」に設定し、且つ出力するデータにＲＥＰＯＲＴ情報を埋め込んだデータフレーム（ＲＥＰＯＲＴ用帯域不要通知）を、光送受信部２０１を介して局側装置２００に対して送信する（図２のステップＳ２１に対応）。
【００２５】
局側装置１００では、加入者側装置２００から送信されたデータフレームを光送受信部１０１が受信し、光信号から電気信号に変換してＲＥＰＯＲＴ情報抽出部１０６に出力する。局側装置１００のＲＥＰＯＲＴ情報抽出部１０６は、このデータフレームを受信すると、ＲＥＰＯＲＴ用帯域要求ビットが「ＯＦＦ」であり、且つＲＥＰＯＲＴ情報が埋め込まれていることを検出し、データフレーム内からＲＥＰＯＲＴ情報を抽出し、ＲＥＰＯＲＴ情報およびＲＥＰＯＲＴ用帯域要求ビットが「ＯＦＦ」であることをＰＯＮ制御部１０２に通知する。ＰＯＮ制御部１０２は、この通知を受けて、バッファ部２０３内のキュー＃１に蓄積されているデータ用帯域のみを割り当てるＧＡＴＥフレームを、光送受信部１０１を介して加入者側装置２００に対して送信する。
【００２６】
図４（ｄ）では、図４（ｃ）の状態から加入者側装置２００のバッファ部２０３内のキュー＃１内にまだデータが蓄積されている状態で、且つキュー＃２に新規にデータ蓄積された場合を示している（図２のステップＳ１１の分岐「Ｎｏ」、且つステップＳ１２の分岐「ＮＯ」、且つステップＳ１３の分岐「ＮＯ」、且つステップＳ１４の分岐「ＮＯ」のフローに対応）。この場合は、バッファ部２０３内のキュー＃２に新規に蓄積されたデータについてＲＥＰＯＲＴ情報を通知する手段がないため、バッファ部２０３内のキュー＃１からデータを出力する際に、ＰＯＮ制御部２０２はＲＥＰＯＲＴ用帯域要求ビットを「ＯＮ」に設定し、且つ出力するデータにＲＥＰＯＲＴ情報を埋め込んだデータフレーム（ＲＥＰＯＲＴ用帯域要求通知）を、光送受信部２０１を介して局側装置２００に対して送信する（図２のステップＳ２０に対応）。
【００２７】
局側装置１００では、加入者側装置２００から送信されたデータフレームを光送受信部１０１が受信し、光信号から電気信号に変換してＲＥＰＯＲＴ情報抽出部１０６に出力する。局側装置１００のＲＥＰＯＲＴ情報抽出部１０６は、このデータフレームを受信すると、ＲＥＰＯＲＴ用帯域要求ビットが「ＯＮ」であり、且つＲＥＰＯＲＴ情報が埋め込まれていることを検出し、データフレーム内からバッファ部２０３内のキュー＃１のＲＥＰＯＲＴ情報を抽出し、ＲＥＰＯＲＴ情報およびＲＥＰＯＲＴ用帯域要求ビットが「ＯＮ」であることをＰＯＮ制御部１０２に通知する。ＰＯＮ制御部１０２は、この通知を受けて、バッファ部２０３内のキュー＃１に蓄積されているデータ用帯域とＲＥＰＯＲＴフレーム用帯域の両方を割り当てるＧＡＴＥフレームを、光送受信部１０１を介して加入者側装置２００に対して送信する。
【００２８】
図４（ｅ）では、図４（ｄ）の状態と変わらず加入者側装置２００のバッファ部２０３内のキュー＃１内およびキュー＃２内にまだデータが蓄積されている状態である場合を示している（図２のステップＳ１１の分岐「ＮＯ」、且つステップＳ１２の分岐「ＮＯ」、且つステップＳ１３の分岐「ＮＯ」、且つステップＳ１４の分岐「ＹＥＳ」のフローに対応）。
【００２９】
図４（ｄ）において、加入者側装置２００にはバッファ部２０３内のキュー＃１蓄積データ分の帯域とＲＥＰＯＲＴフレーム用帯域とが割り当てられているので、ＰＯＮ制御部２０２はＲＥＰＯＲＴフレームでバッファ部２０３内キュー＃１とキュー＃２とに蓄積されているデータ分の帯域を要求する。また、データ用帯域でバッファ部２０３内のキュー＃１に蓄積されているデータにＲＥＰＯＲＴ情報を埋め込んだデータフレームを出力する。
【００３０】
このとき、データ出力後もバッファ部２０３内のキュー＃１およびキュー＃２には出力すべきデータがまだ蓄積されているので、ＲＥＰＯＲＴフレーム、データフレームともにＲＥＰＯＲＴ用帯域要求ビットを「ＯＦＦ」に設定して局側装置に対して送信する（ＲＥＰＯＲＴ用帯域不要通知、図２のステップＳ２２に対応）。
【００３１】
局側装置１００では、加入者側装置２００から送信されたＲＥＰＯＲＴ用帯域要求ビットが「ＯＦＦ」であり且つＲＥＰＯＲＴ情報が埋め込まれたＲＥＰＯＲＴフレームを光送受信部１０１が受信し、光信号から電気信号に変換してＲＥＰＯＲＴ情報抽出部１０６に出力する。局側装置１００のＲＥＰＯＲＴ情報抽出部１０６は、このＲＥＰＯＲＴフレームを受信すると、ＲＥＰＯＲＴ用帯域要求ビットが「ＯＦＦ」であり、且つＲＥＰＯＲＴ情報が埋め込まれていることを検出し、データフレーム内からバッファ部２０３内のキュー＃１およびキュー＃２のＲＥＰＯＲＴ情報を抽出し、ＲＥＰＯＲＴ情報およびＲＥＰＯＲＴ用帯域要求ビットが「ＯＦＦ」であることをＰＯＮ制御部１０２に通知する。ＰＯＮ制御部１０２は、この通知を受けて、バッファ部２０３内のキュー＃１およびキュー＃２に蓄積されているデータ用帯域のみを割り当てるＧＡＴＥフレームを、光送受信部１０１を介して加入者側装置２００に対して送信する。
【００３２】
図４（ｆ）では、図４（ｅ）の状態から追加のバッファ部２０３へのデータ蓄積が発生せず、前回要求した帯域で全データを出力できる場合を示している（図２のステップＳ１１の分岐「ＮＯ」、且つステップＳ１２の分岐「ＮＯ」、且つステップＳ１３の分岐「ＮＯ」、且つステップＳ１４の分岐「ＮＯ」のフローに対応）。この場合は、図４（ｅ）において割り当てられたバッファ部２０３内のキュー＃１およびキュー＃２内のデータが全て出力されるので、バッファ部２０３内のキュー＃１およびキュー＃２からデータを出力する際に、ＲＥＰＯＲＴ用帯域要求ビットを「ＯＮ」に設定し、且つ出力するデータにＲＥＰＯＲＴ情報を埋め込んだデータフレーム（ＲＥＰＯＲＴ用帯域要求通知）を局側装置に対して送信する（図２のステップＳ２０に対応）。
【００３３】
局側装置１００では、加入者側装置２００から送信されたＲＥＰＯＲＴ用帯域要求ビットが「ＯＮ」であり且つＲＥＰＯＲＴ情報が埋め込まれたデータフレームを光送受信部１０１が受信し、光信号から電気信号に変換してＲＥＰＯＲＴ情報抽出部１０６に出力する。局側装置１００のＲＥＰＯＲＴ情報抽出部１０６は、このＲＥＰＯＲＴフレームを受信すると、ＲＥＰＯＲＴ用帯域要求ビットが「ＯＮ」であり、且つＲＥＰＯＲＴ情報が埋め込まれていることを検出し、それぞれのデータフレーム内からバッファ部２０３内のキュー＃１およびキュー＃２のＲＥＰＯＲＴ情報を抽出し、ＲＥＰＯＲＴ情報およびＲＥＰＯＲＴ用帯域要求ビットが「ＯＮ」であることをＰＯＮ制御部１０２に通知する。ＰＯＮ制御部１０２は、この通知を受けて、ＲＥＰＯＲＴフレーム用帯域のみを割り当てるＧＡＴＥフレームを、光送受信部１０１を介して加入者側装置２００に対して送信する。
【００３４】
上述したように、本実施の形態においては、局側装置１００に送信すべきデータが加入者側装置２００のバッファ部２０３内のキューに蓄積されている場合には、ＰＯＮ制御部２０２は、ＲＥＰＯＲＴフレーム用帯域を加入者側装置２００に要求せず、データ送信時にＲＥＰＯＲＴ情報をデータに埋め込んでデータ送信を行い、加入者側装置２００からＲＥＰＯＲＴフレームを送信しない制御を行う。また、新たなキューにデータが蓄積された場合には、ＰＯＮ制御部２０２は該データ用のＲＥＰＯＲＴフレームを加入者側装置２００から送信する制御を行う。これにより、ＲＥＰＯＲＴフレームの送信回数を減らすことができ、ＲＥＰＯＲＴフレーム送信による上り方向（加入者側装置から局側装置へ）の伝送効率低下を最小限に抑えることが可能となるため、上り方向の伝送路帯域を有効利用することが可能な伝送路効率に優れたＰＯＮ光通信ネットワークシステムを実現することができる。
【産業上の利用可能性】
【００３５】
以上のように、本発明にかかる光通信ネットワークシステムは、上り方向の伝送路帯域を有効利用した、伝送路効率に優れた光通信に有用である。
【図面の簡単な説明】
【００３６】
【図１】本発明の実施の形態にかかる光通信ネットワークシステムであるＰＯＮシステムの概略構成を示す図である。
【図２】本実施の形態におけるＰＯＮ制御部のＲＥＰＯＲＴ情報通知機能の処理フローを示したフローチャートである。
【図３】加入者側装置のバッファ内のデータ蓄積量を、ユーザ宅装置が送信したデータに埋め込んで局側装置に通知する場合のフレームフォーマットの例を示した図である。
【図４】本実施の形態にかかるＰＯＮシステムにおける上り方向の送信制御方法を示した動作説明図である。
【符号の説明】
【００３７】
１  光ファイバ
２  光カプラ
３  光ファイバ
１００  局側装置
１０１  光送受信部
１０２  ＰＯＮ制御部
１０３  バッファ部
１０４  ネットワークインタフェース部
１０５  バッファ部
１０６  ＲＥＰＯＲＴ情報抽出部
２００  加入者側装置
２０１  光送受信部
２０２  ＰＯＮ制御部
２０３  バッファ部
２０４  ネットワークインタフェース部
２０５  バッファ部
２０６  バッファ状態監視部
【図１】
2009141889.tif 000003
【図２】
2009141889.tif 000004
【図３】
2009141889.tif 000005
【図４】
2009141889.tif 000006